(57)【要約】【課題】ユーザ自身又はユーザの生活空間に対して効果的にイオンミストを放出できる画像表示装置を提供する。【解決手段】テレビジョン受像機は、画像を表示する表示パネルと、第１の風路１１１、第１の風路１１１に合流する第２の風路１１２、第１の風路内の空気を強制的に排気することによって、第１及び第２の風路１１１、１１２の合流地点に負圧を生じさせるファン、及び第２の風路１１２の合流地点より上流側でイオンミストを発生させるイオン発生装置１１３を有するイオンミスト放出ユニット１００とを備え、イオンミスト放出ユニット１００は、合流地点に生じる負圧によって第２の風路１１２内のイオンミストを合流地点に誘導し、第１の風路１１１からの排気と共に表示パネルの前方の視聴空間に放出する。【選択図】図７
2013247641.tif 000002
【特許請求の範囲】
【請求項１】
画像を表示する表示パネルと、
第１の風路、前記第１の風路に合流する第２の風路、前記第１の風路内の空気を強制的に排気することによって、前記第１及び第２の風路の合流地点に負圧を生じさせる送風機、及び前記第２の風路の前記合流地点より上流側でイオンミストを発生させるイオン発生装置を有するイオンミスト放出ユニットとを備え、
前記イオンミスト放出ユニットは、前記合流地点に生じる負圧によって前記第２の風路内の前記イオンミストを前記合流地点に誘導し、前記第１の風路からの排気と共に前記表示パネルの前方の視聴空間に放出する
画像表示装置。
【請求項２】
前記イオン発生装置は、互いに離間して配置される一対の電極と、前記一対の電極を冷却することによって結露を生じさせるペルチェ素子と、前記一対の電極間に電圧を印加して前記イオンミストを発生させる電圧発生部とを備え、
前記ペルチェ素子の放熱側の面は、前記第２の風路内に露出している
請求項１に記載の画像表示装置。
【請求項３】
前記第２の風路は、前記イオン発生装置を保持する筐体の壁面と、前記筐体内を区画する隔壁とで構成され、
前記第２の風路の吸気口は、前記筐体の壁面と前記隔壁との連結部分において、前記隔壁を跨ぐように前記筐体の壁面を厚み方向に貫通する貫通孔の前記筐体の外側の開口を封止することによって形成されている
請求項１又は２に記載の画像表示装置。
【請求項４】
前記筐体は、さらに、前記筐体の外部と前記第２の風路の吸気口との間に、前記吸気口への異物の侵入を阻止する遮蔽壁を備える
請求項３に記載の画像表示装置。
【請求項５】
画像を表示する表示パネルと、
第１の風路、
前記第１の風路に合流する第２の風路、
少なくとも前記第１の風路に送風する送風機、
前記第１の風路と前記第２の風路の合流地点より上流側でイオンミストを発生させるイオン発生装置、
前記合流地点に到達した前記イオンミストと前記第１の風路からの排気を前記表示パネルの前方の視聴空間に放出する手段
とを備え、
前記合流地点の上流側では、第２の風路の幅が、第１の風路の幅よりも狭い、
画像表示装置。
【請求項６】
前記画像表示装置は、放送波を受信するチューナを有するテレビジョン受像機である
請求項１〜５のいずれか１項に記載の画像表示装置。
【発明の詳細な説明】
【技術分野】
【０００１】
本発明は、画像表示装置に関し、特にイオンミストを発生させる機能を備えた画像表示装置に関するものである。
【背景技術】
【０００２】
ナノサイズで強い電荷を持つ霧状のマイナスイオン（以下、「イオンミスト」と表記する）には、例えば、空気中を浮遊する塵埃を捕集する効果、肌や毛髪を保湿する効果、脱臭や除菌を行う効果等が知られている。
【０００３】
そして、イオンミストを発生させる静電霧化装置が、例えば、特許文献１に開示されている。特許文献１に開示されている静電霧化装置は、電極周辺に結露を生じさせた状態で、当該電極に高電圧を印加することによってイオンミストを発生させる。また、イオンミストを発生させる装置は、特許文献１のような専用の装置だけでなく、イオンミストを発生させる機能を備えた掃除機、ヘアドライヤー、洗濯機、及び冷蔵庫等の各種電化製品が知られている。
【先行技術文献】
【特許文献】
【０００４】
【特許文献１】特開２０１０−２６４４５５号公報
【特許文献２】特開２０１０−１３６７４１号公報
【特許文献３】特開２０１１−２００３７１号公報
【特許文献４】実開平３−４３６２９号公報
【発明の概要】
【発明が解決しようとする課題】
【０００５】
しかしながら、上記の各電化製品のうち、掃除機やヘアドライヤーがイオンミストを放出するのはその使用時だけであり、洗濯機や冷蔵庫がイオンミストを放出するのはこれらの内部だけである。その結果、これらの電化製品が放出するイオンミストが上記の効果を発揮するのは、時間的又は空間的に限定された範囲に留まる。
【０００６】
本発明は、上記の事情に鑑みてなされたものであり、ユーザ自身又はユーザの生活空間に対して効果的にイオンミストを放出できる画像表示装置を提供することを目的とする。
【課題を解決するための手段】
【０００７】
本発明の一形態に係る画像表示装置は、画像を表示する表示パネルと、第１の風路、前記第１の風路に合流する第２の風路、前記第１の風路内の空気を強制的に排気することによって、前記第１及び第２の風路の合流地点に負圧を生じさせる送風機、及び前記第２の風路の前記合流地点より上流側でイオンミストを発生させるイオン発生装置を有するイオンミスト放出ユニットとを備える。そして、前記イオンミスト放出ユニットは、前記合流地点に生じる負圧によって前記第２の風路内の前記イオンミストを前記合流地点に誘導し、前記第１の風路からの排気と共に前記表示パネルの前方の視聴空間に放出する。
【図面の簡単な説明】
【０００８】
【図１】テレビジョン受像機１０の前面側の外観斜視図である。
【図２】テレビジョン受像機１０の背面側の外観斜視図である。
【図３】テレビジョン受像機１０の内部構造を示す図である。
【図４】背面カバー４０の裏面図である。
【図５】筐体１４０の上面側（前面側）の斜視図である。
【図６】筐体１４０の下面側（裏面側）の斜視図である。
【図７】筐体１４０の上部領域１４１の平面図及び蓋１５０の裏面図である。
【図８】第２の風路１１２の吸気口１１２ａの構造を模式的に示す図である。
【図９】イオン発生装置１１３の構成を示す模式図である。
【図１０】ルーバー５０及び光源６０の位置関係を示す斜視図である。
【図１１】ルーバー５０と光源６０との拡大正面図である。
【発明を実施するための形態】
【０００９】
（本発明の基礎となった知見）
通常、テレビジョン受像機は、表示パネルをユーザの生活空間に向けた状態で室内に設置される。そのため、テレビジョン受像機の表示パネルの前方の空間（以下、「視聴空間」と表記する）に向けてイオンミストを放出すれば、ユーザ自身又はユーザの生活空間に効果的にイオンミストを供給することができると考えられる。
【００１０】
ここで、イオンミストを広い視聴空間全体に行き渡らせるためには、イオンミストを拡散させる送風機の出力を大きくする必要がある。しかしながら、イオン発生装置を送風機の風に直接晒すと、電極周辺に生じる結露を蒸発させてしまい、イオンミストの発生効率を低下させるという課題がある。
【００１１】
上記の課題を解決するために、本発明の一形態に係るテレビジョン受像機１０は、画像を表示する表示パネル２０と、第１の風路１１１、第１の風路１１１に合流する第２の風路１１２、第１の風路内の空気を強制的に排気することによって、第１及び第２の風路１１１、１１２の合流地点に負圧を生じさせるファン１２０、及び第２の風路１１２の合流地点より上流側でイオンミストを発生させるイオン発生装置１１３を有するイオンミスト放出ユニット１００とを備える。そして、イオンミスト放出ユニット１００は、合流地点に生じる負圧によって第２の風路１１２内のイオンミストを合流地点に誘導し、第１の風路１１１からの排気と共に表示パネル２０の前方の視聴空間に放出する。
【００１２】
（実施の形態）
以下、本発明の一態様に係る画像表示装置について、図面を参照しながら具体的に説明する。なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１３】
図１〜図４を参照して、本実施の形態に係る画像表示装置の一例であるテレビジョン受像機１０の構成を説明する。図１は、テレビジョン受像機１０の前面側の外観斜視図である。図２は、テレビジョン受像機１０の背面側の外観斜視図である。図３は、テレビジョン受像機１０の内部構造を示す図である。図４は、背面カバー４０の裏面図である。
【００１４】
テレビジョン受像機１０は、図１及び図２に示されるように、表示パネル２０と、台座３０と、背面カバー４０と、ルーバー５０とを主に備える。また、テレビジョン受像機１０は、放送波を受信するチューナ（図示省略）を有する。加えて、イーサネット（登録商標）等のネットワーク経由での信号を受信するため受信回路、録画機器などの外部機器からの入力を受け付ける入力部などを備えても良い。
【００１５】
表示パネル２０は、画像（映像）を表示するディスプレイである。表示パネル２０の具体的な構成は特に限定されないが、例えば、液晶ディスプレイ、プラズマディスプレイ、又は有機ＥＬ（ＥｌｅｃｔｒｏＬｕｍｉｎｅｓｃｅｎｃｅ）ディスプレイ等を採用することができる。
【００１６】
台座３０は、表示パネル２０を起立状態に支持する。また、台座３０は、所定の角度範囲で左右方向及び上下方向に独立して表示パネル２０を回動させる。すなわち、テレビジョン受像機１０を載置面上に載置した状態で、表示パネル２０の向き（角度）を変更することができる。
【００１７】
背面カバー４０は、表示パネル２０の裏面を覆うカバーである。そして、表示パネル２０と背面カバー４０との間に形成される空間には、図３に示されるように、電源回路７１と、信号処理回路７５と、イオンミスト放出ユニット１００とが、互いに離間して配置される。電源回路７１及び信号処理回路７５を含む駆動回路は、表示パネル２０の裏面に配置されて、表示パネル２０に画像を表示させるための回路である。
【００１８】
なお、図３の例では、表示パネル２０の裏面（背面）の空間の中央にイオンミスト放出ユニット１００が配置され、イオンミスト放出ユニット１００の左側に電源回路７１が配置され、イオンミスト放出ユニット１００の右側に信号処理回路７５が配置されている。しかしながら、これらの配置は図３の例に限定されない。
【００１９】
例えば、電源回路７１及び信号処理回路７５の位置が入れ替わっていてもよい。すなわち、イオンミスト放出ユニット１００の左右の一方側に電源回路７１が配置され、他方側に信号処理回路７５が配置されればよい。一方、視聴空間全体に均等にイオンミストを放出する観点からは、表示パネル２０の裏面の中央にイオンミスト放出ユニット１００を配置するのが望ましい。また、従来からあるテレビジョン受像機では、左右の一方側に電源回路が配置され、他方側に信号処理回路を有するものが多い。したがって、イオンミスト放出ユニット１００を中央に設けるのが、設計／製造面の低コスト化という観点でも好ましいといえる。
【００２０】
電源回路７１は、表示パネル２０、信号処理回路７５、及びイオンミスト放出ユニット１００に電源を供給する回路である。この電源回路７１は、外部電源（図示省略）を供給する電源プラグを受け入れる電源ソケット７２を有する。図３の例において、電源ソケット７２は、電源回路７１のイオンミスト放出ユニット１００に近い側の端（すなわち、右下の端）に配置されている。
【００２１】
信号処理回路７５は、電源回路７１から電力の供給を受けて、表示パネル２０に表示させる画像信号を処理する回路である。信号処理回路７５は、典型的には、チューナで受信した放送波から画像信号を分離するデマルチプレクサ、分離した映像／音声信号のデコ−ドを行うデコーダ、映像信号に応じて実際に表示パネル２０を駆動するためのパネル駆動回路などを有し、表示パネル２０の各画素を所望の色に発光させることにより、表示パネル２０に画像（映像）を表示させる。この本実施の形態の信号処理回路７５では、上記チューナも回路内に含んでいる。また、外部（インターネットや録画機器など）から画像信号を取得するための端子群７６を備える。なお、本実施の形態では、パネル駆動回路を信号処理回路７５内に搭載しているが、多くのテレビジョン受像機で見られるように、信号処理回路７５とは分離して設けられるものであっても良い。
【００２２】
イオンミスト放出ユニット１００は、電源回路７１から電力の供給を受けて、イオンミストを生成し、生成したイオンミストをテレビジョン受像機１０の外部に放出する。本実施の形態に係るイオンミスト放出ユニット１００は、図３の上方に向けてイオンミストを放出する。
【００２３】
なお、イオンミスト放出ユニット１００と、表示パネル２０及び信号処理回路７５とは、電源回路７１からそれぞれ独立して電力の供給を受けている。すなわち、イオンミスト放出ユニット１００は、表示パネル２０に画像が表示されている状態（テレビジョン受像機１０の電源ＯＮ状態）のみならず、表示パネル２０に画像が表示されていない状態（テレビジョン受像機１０の電源ＯＦＦ状態）でもイオンミストを放出することができる。
【００２４】
このイオンミスト放出ユニット１００は、図３及び図４に示されるように、イオンミストを発生させるイオン発生部１１０と、イオン発生部１１０で発生したイオンミストを外部に放出させるファン（送風機）１２０と、イオン発生部１１０及びファン１２０の動作を制御する制御回路１３０と、イオン発生部１１０、ファン１２０、及び制御回路１３０を保持する筐体１４０とで構成される。
【００２５】
また、背面カバー４０は、図４に示されるように、電源回路７１の電源ソケット７２及び信号処理回路７５の端子群７６のそれぞれに対面する位置に、電源ソケット７２及び端子群７６を外部に露出させる貫通孔４１、４２が形成されている。さらに、背面カバー４０には、イオンミスト放出ユニット１００の中央部に対面する位置（すなわち、ファン１２０に対面する位置）に通気孔４３が形成されている。
【００２６】
ルーバー５０は、図１及び図２に示されるように、背面カバー４０の上端中央部に取り付けられて、イオンミスト放出ユニット１００から放出されるイオンミストを視聴空間に誘導する誘導部材として機能する。また、ルーバー５０は、イオンミスト放出ユニット１００からイオンミストが放出されていることを示すインジケータとしても機能する。ルーバー５０の構成及び機能については、後述する。
【００２７】
次に、図５〜図９を参照して、イオンミスト放出ユニット１００の具体的な構成を説明する。図５は、筐体１４０の上面側（前面側）の斜視図である。図６は、筐体１４０の下面側（裏面側）の斜視図である。図７は、筐体１４０の上部領域１４１の平面図及び蓋１５０の裏面図である。図８は、第２の風路１１２の吸気口１１２ａの構造を模式的に示す図である。図９は、イオン発生装置１１３の構成を示す模式図である。
【００２８】
まず、筐体１４０は、図３及び図５に示されるように、表示パネル２０の裏面に取り付けられた状態において、イオン発生部１１０を保持する上部領域（第１領域）１４１と、ファン１２０を保持する中央領域（第２領域）１４２と、制御回路１３０を保持する下部領域（第３領域）１４３とに区画される。
【００２９】
また、筐体１４０は、図５及び図６に示されるように、底面１４０ａ及び三方の側面１４０ｂ、１４０ｃ、１４０ｄが外壁で閉鎖され、上面及び一方の側面（表示パネル２０に取り付けたときに上側に位置する側面）が開口された略直方体形状である。そして、筐体１４０は、筐体１４０の上面（開口面）のうち、上部領域１４１に対応する部分が蓋１５０で閉鎖され、中央領域１４２及び下部領域１４３に対応する部分が開放された状態で、表示パネル２０の裏面に取り付けられる。
【００３０】
一方、中央領域１４２及び下部領域１４３に対応する部分の上面（開口面）は、背面カバー４０によって閉鎖される。また、図４に示されるように、背面カバー４０を表示パネル２０の裏面に取り付けたときに、筐体１４０の外側（特に、中央領域１４２及び下部領域１４３）を囲むような位置に、背面カバー４０の裏面から突出する突条４４が形成される。
【００３１】
さらに、図２及び図４に示されるように、背面カバー４０のイオンミスト放出ユニット１００を保持する部分は、電源回路７１及び信号処理回路７５を保持する部分より後退している（すなわち、図４のように裏面側から見たときに、背面カバー４０の中央領域が左右領域より凹んでいる）。そして、この凹みによって生じた段差４５、４６（図４の斜線で示される部分）が、表示パネル２０の裏面に取り付けられた筐体１４０を囲んでいる。
【００３２】
このように、イオンミスト放出ユニット１００を筐体１４０及び蓋１５０で囲み、さらに背面カバー４０の突条４４及び段差４５、４６（これらを総称して「凸部」と表記する）で囲むことによって、駆動回路（電源回路７１及び信号処理回路７５）で発生する熱がイオンミスト放出ユニット１００の各構成要素（イオン発生部１１０、ファン１２０、及び制御回路１３０）に伝播することを抑制することができる。すなわち、イオンミスト放出ユニット１００を、駆動回路から熱的に隔離することができる。
【００３３】
次に、筐体１４０の上部領域１４１には、筐体１４０の壁面（底面１４０ａ及び側面１４０ｂ、１４０ｃ）と、筐体１４０内を区画する複数の隔壁１４４ａ、１４４ｂ、１４４ｃ、１４４ｄ、１４４ｅ、１４４ｆと、蓋１５０とによって、第１の風路１１１及び第２の風路１１２が形成されている。また、第２の風路１１２内には、イオン発生装置１１３が配置されている。すなわち、イオン発生部１１０は、第１の風路１１１と、第２の風路１１２と、イオン発生装置１１３とを含む。
【００３４】
第１の風路１１１は、図７に示されるように、吸気口１１１ａと排気口１１１ｂとの間の空間を指し、上部領域１４１の右側の領域を上下方向に貫いている。吸気口１１１ａは、筐体１４０の中央領域１４２（すなわち、ファン１２０が保持されている領域）に連通している。排気口１１１ｂは、筐体１４０の外部に連通している。
【００３５】
第２の風路１１２は、図７に示されるように、吸気口１１２ａと排気口１１２ｂとの間の空間を指し、第１の風路１１１の左側（上部領域１４１の左側の領域）に形成されている。吸気口１１１ａは、隔壁１４４ａの下側に設けられている。排気口１１２ｂは、第１の風路１１１に面する位置に設けられている。すなわち、第２の風路１１２は、その排気口１１２ｂの位置で第１の風路１１１に合流している。また、第１及び第２の風路１１１、１１２の合流地点より上流側において、第２の風路１１２の幅は、第１の風路１１１より狭くなっている。
【００３６】
なお、本実施の形態に係る第２の風路１１２の吸気口１１２ａは、例えば、図６及び図８に示されるように形成される。まず、筐体１４０の底面１４０ａと隔壁１４４ａとの連結部分において、隔壁１４４ａを跨ぐように筐体１４０の底面１４０ａを厚み方向に貫通する貫通孔１４５が形成されている。そして、図６に示されるように、この貫通孔１４５の筐体１４０の外側（すなわち、筐体１４０の裏面）の開口をシール１４６等で封止することによって、第２の風路１１２の吸気口１１２ａが形成される。
【００３７】
また、筐体１４０の上部領域１４１には、筐体１４０の外部と第２の風路１１２の吸気口１１２ａとの間に、吸気口１１２ａへの異物（塵埃、水滴等）の侵入を阻止する遮蔽壁１４７が形成されている。この遮蔽壁１４７の高さは隔壁１４４ａよりも低いので、蓋１５０を筐体１４０に取り付けた状態で、遮蔽壁１４７と蓋１５０との間には、吸気口１１２ａへの外気の流入を許容する僅かな隙間が形成される。
【００３８】
このように、隔壁１４４ａの下に形成した小さな貫通孔１４５を利用して吸気口１１２ａを形成し、且つ吸気口１１２ａに流入する空気の通り道に遮蔽壁１４７を設けることにより、吸気口１１２ａへの異物の侵入を有効に防止することができる。
【００３９】
次に、蓋１５０の裏側には、図７に示されるように、第２の風路１１２の内側と外側とを隔てる側面１４０ｂ及び隔壁１４４ａ、１４４ｄ、１４４ｅ、１４４ｆに対面する位置に不織布１５１が貼付されている。この不織布１５１は、蓋１５０を筐体１４０に被せることによって、隔壁１４４ａ、１４４ｄ、１４４ｅ、１４４ｆの上面に密着し、筐体１４０の上部領域１４１（特に、第２の風路１１２）の上面を気密状態に保つ。なお、不織布１５１は、封止部材の一例であって、ゴム等の他の材料であってもよい。
【００４０】
上記の構成により、吸気口１１２ａ及び排気口１１２ｂ以外の部分を通じて第２の風路１１２に空気が流入することはなく、且つ吸気口１１２ａ及び排気口１１２ｂ以外の部分を通じて第２の風路１１２から空気が流出することもない。すなわち、第２の風路１１２は、吸気口１１２ａ及び排気口１１２ｂ以外の部分で気密状態が保たれている。
【００４１】
イオン発生装置１１３は、図７に示されるように、第２の風路１１２内の隔壁１４４ｂ、１１４ｃで囲まれる領域に保持される。すなわち、イオン発生装置１１３は、第１の風路１１１と第２の風路１１２との合流地点（すなわち、第２の風路１１２の排気口１１２ｂ）より上流に配置される。
【００４２】
また、イオン発生装置１１３は、図９に示されるように、互いに離間して配置される一対の電極１１３ａ、１１３ｂと、一対の電極１１３ａ、１１３ｂを冷却することによって結露を生じさせるペルチェ素子（冷却手段の一例）１１３ｃと、電極１１３ａとペルチェ素子１１３ｃとの間に配置される絶縁部材１１３ｄと、一対の電極１１３ａ、１１３ｂの間に高電圧を印加する電圧発生部１１３ｅとを備える。
【００４３】
ペルチェ素子１１３ｃは、電源回路７１からの（直接、或いは制御回路１３０を経由して）電圧の供給を受けて、一対の電極１１３ａ、１１３ｂに近い上面側が低温（吸熱側）となり、下面側が高温（放熱側）となる。絶縁部材１１３ｄは、電極１１３ａとペルチェ素子１１３ｃとを電気的に絶縁し、且つ熱的に接続する。その結果、ペルチェ素子１１３ｃによって冷却された電極１１３ａに結露が生じる。ここで、電圧発生部１１３ｅによって一対の電極１１３ａ、１１３ｂの間に高電圧（例えば、３５００Ｖ）を印加すると、一対の電極１１３ａ、１１３ｂの間に生じるコロナ放電によって、微粒子水で包まれた霧状のマイナスイオン（直径が５〜２０ｎｍのイオンミスト）が発生する。
【００４４】
上記構成において、ファン１２０（図３参照）を回転させると、背面カバー４０の通気孔４３から供給された空気が、吸気口１１１ａを通じて第１の風路１１１に流入し、排気口１１１ｂから外部に排気される。すなわち、第１の風路１１１内の空気は、第１の風路１１１を下側（吸気口１１１ａ側）から上側（排気口１１１ｂ側）に向かって強制的に排気される。このとき、第１の風路１１１と第２の風路１１２との合流地点（すなわち、第２の風路１１２の排気口１１２ｂ）に負圧が生じ、第２の風路１１２に吸気口１１２ａから排気口１１２ｂに向かう空気の自然な流れが生じる。
【００４５】
すなわち、吸気口１１２ａから第２の風路１１２に流入する水分を含む空気（外気）は、隔壁１４４ｂ〜１４４ｅ等の間を通過する際に、イオン発生装置１１３に水分を供給する代わりに、イオン発生装置１１３で生成されたイオンミストを捕集する。そして、イオンミストを含む空気は、隔壁１４４ｄ、１４４ｆによって第１の風路１１１の流れと同じ方向に誘導され、排気口１１２ｂから第１の風路１１１に排気される。その結果、イオン発生装置１１３で生成されたイオンミストは、第１の風路１１１からの排気と共にイオンミスト放出ユニット１００から放出され、ルーバー５０によって表示パネル２０の前方の視聴空間に放出される。
【００４６】
なお、イオンミスト放出ユニット１００からイオンミストを放出させるために、ファン１２０で発生させた送風にイオン発生装置１１３を直接晒した場合、一対の電極１１３ａ、１１３ｂに生じた結露を蒸発させてしまう可能性がある。そこで、上記構成のように、ファン１２０で発生させた送風によって排気口１１２ｂの周辺に負圧を生じさせ、この負圧によって第２の風路１１２に生じる空気の自然な流れにイオンミストを含めることによって、一対の電極１１３ａ、１１３ｂに生じる結露の蒸発を効果的に抑制することができる。
【００４７】
また、ペルチェ素子１１３ｃの放熱側の面の冷却が不十分だと、吸熱側の冷却効率が低下する。そのため、イオン発生装置１１３は、ペルチェ素子１１３ｃの放熱側の面を、第２の風路１１２内に露出させる。本実施の形態においては、図７に示されるように、ペルチェ素子１１３ｃの放熱側の面（隔壁１４４ｅと対向する面）が、隔壁１４４ｃに設けられた隙間から第２の風路１１２内に露出している。そのため、第２の風路１１２内の空気は、イオン発生装置１１３で生成されたイオンミストを排気口１１２ｂに運ぶと共に、ペルチェ素子１１３ｃの放熱側の面を冷却する。
【００４８】
さらに、ファン１２０には、背面カバー４０の通気孔４３からだけでなく、筐体１４０の側面１４０ｄに設けられた貫通孔１４０ｅからも空気が供給される。側面１４０ｄは、筐体１４０の下部領域１４３を構成する外壁であって、筐体１４０を表示パネル２０の裏面に取り付けたときに下側を向く面である。すなわち、貫通孔１４０ｅから下部領域１４３を通ってファン１２０に供給される空気は、下部領域１４３に保持されている制御回路１３０の冷却にも寄与する。
【００４９】
すなわち、ファン１２０は、イオン発生装置１１３で生成されたイオンミストを視聴空間に拡散させる機能と、イオンミスト放出ユニット１００の各構成要素（特に、ペルチェ素子１１３ｃの放熱側の面、及び制御回路１３０）を冷却する機能とを担っている。
【００５０】
ここで、テレビジョン受像機１０への電源ケーブルの引き回しの自由度を高める観点からは、表示パネル２０の裏面の左右方向の中央に近い位置に、電源ソケット７２を配置するのが望ましい。そして、これを実現するためには、表示パネル２０の裏面の中央に配置されるイオンミスト放出ユニット１００の左右方向の幅を小さくすることが必要となる。
【００５１】
一方、十分な量のイオンミストを発生させるためには、第２の風路１１２の容積を大きくする（すなわち、イオン発生装置１１３に供給される水分の量を多くする）必要がある。そのため、イオン発生部１１０を保持する筐体１４０の上部領域１４１の左右方向の幅を小さくするのは難しい。また、イオン発生部１１０で発生させたイオンミストを、表示パネル２０の前方の視聴空間全体に行き渡らせるためには、ファン１２０を大きくする必要がある。そのため、ファン１２０を保持する筐体１４０の中央領域１４２の左右方向の幅を小さくするのも難しい。
【００５２】
そこで、本実施の形態では、図３及び図５に示されるように、電源ソケット７２に隣接する筐体１４０の下部領域１４３の左右方向の幅を、上部領域１４１及び中央領域１４２の左右方向の幅より小さくしている。より具体的には、制御回路１３０を保持する下部領域１４３の電源ソケット７２側（左側）を切り取って、電源ソケット７２を表示パネル２０の裏面の下部中央に配置できるようにしている。このように、イオンミスト放出ユニット１００の性能に影響の少ない部分で、筐体１４０の左右の幅を選択的に小さくすることにより、イオンミスト放出ユニット１００の性能の低下を防止しつつ、電源ケーブルの引き回しの自由度を高めることができる。
【００５３】
次に、図１０及び図１１を参照して、ルーバー５０の構成及び機能を説明する。図１０は、ルーバー５０及び光源６０の位置関係を示す斜視図である。図１１は、ルーバー５０と光源６０とが対面する位置の拡大正面図である。
【００５４】
まず、ルーバー５０は、外側に向かって膨出する曲面形状であって、イオンミスト放出ユニット１００から放出されるイオンミストを、視聴空間に誘導する誘導部材として機能する。具体的には、ルーバー５０は、図２に示されるように、背面カバー４０の上端中央部、すなわちイオンミスト放出ユニット１００の排気口１１１ｂを含む位置に取り付けられる。また、ルーバー５０は、図１に示されるように、表示パネル２０の上端との間に隙間を形成する。その結果、イオンミスト放出ユニット１００から上方向に放出されたイオンミストは、ルーバー５０によって水平方向（表示パネル２０の前方方向）に向きを変えられて、視聴空間に供給される。
【００５５】
また、ルーバー５０は、イオンミスト放出ユニット１００からイオンミストが放出されていることを、視聴空間にいるユーザに報知する報知部としても機能する。具体的には、ルーバー５０は、例えば透明の材料（典型的には、樹脂材料）で形成され、光源６０に対面する第１の端面５１と、視聴空間に対面する第２の端面５２とを有する。
【００５６】
一方、光源６０は、基板６１と、基板６１の表面に所定の間隔を隔てて配置される複数のＬＥＤ（Ｌｉｇｈｔ  Ｅｍｉｔｔｉｎｇ  Ｄｉｏｄｅ）素子６２とで構成される。そして、この光源６０は、例えば、図３に示されるように、イオン発生部１１０の蓋１５０の外側に、ＬＥＤ素子６２を上に向けた状態で設置される。すなわち、光源６０は、視聴空間にいるユーザからは見えない位置に配置される。
【００５７】
そして、制御回路１３０は、イオンミスト放出ユニット１００がイオンミストを放出している間、光源６０のＬＥＤ素子６２を点灯させる。これにより、ＬＥＤ素子６２から出力される光は、ルーバー５０の第１の端面５１に入射し、ルーバー５０の内部を通過し、一部はルーバー５０の外側の表面（曲面部分の表面）から放射され、他の一部は第２の端面５２から放射される。すなわち、視聴空間にいるユーザには、ルーバー５０の表面（ルーバー５０の曲面の外側表面）全体と、第２の端面５２とが光って見える。
【００５８】
ここで、ルーバー５０は、第１の端面５１から入射する光の透過率を高めるために、無色透明の樹脂で形成されるのが望ましい。一方、ルーバー５０の表面は、任意の色で塗装してもよい。これにより、ルーバー５０の表面の色と、ＬＥＤ素子６２の発光色との組み合わせによって、ルーバー５０の表面の発光色を決定することができる。なお、第２の端面５２も同様に任意の色で塗装してもよい。一方、第１の端面５１は、光源６０から入射する光量を増加させるために、塗装しない（無色透明のまま）のが望ましい。
【００５９】
また、第２の端面５２は、ルーバー５０の内部を通過した光を乱反射させるために、表面を荒らしておくのが望ましい。一方、第１の端面５１は、光源６０から入射する光量を増加させるために、表面を滑らかにしておくのが望ましい。すなわち、第２の端面５２の表面粗さを第１の端面５１より粗くしておくのが望ましい。
【００６０】
さらに、第１の端面５１は、光源６０から入射する光をルーバー５０全体に拡散させるために、互いに交差する方向を向く複数の面で構成されるのが望ましい。本実施の形態に係る第１の端面５１は、図１１に示されるように、ＬＥＤ素子６２と対面しない部分が基板６１と平行な平面５１ａで構成され、ＬＥＤ素子６２と対面する部分が凹曲面５１ｂで構成される。すなわち、第１の端面５１は、複数（図１１の例では５個）の凹曲面５１ｂと、隣接する凹曲面５１ｂを接続する平面５１ａとで構成される。
【００６１】
また、凹曲面５１ｂの直径（幅）は、ＬＥＤ素子６２から出力される拡散光を効率よく取り込むために、ＬＥＤ素子６２の幅より大きく設定されるのが望ましい。すなわち、凹曲面５１ｂは、対面するＬＥＤ素子６２を覆うように形成される。なお、凹曲面５１ｂの具体的な直径は、ＬＥＤ素子６２との距離等によって決定すればよい。
【００６２】
なお、インジケータとして機能するルーバー５０は、イオンミスト放出ユニット１００からのイオンミストの放出を報知する用途に留まらない。例えば、信号処理回路７５は、チューナを通じて緊急放送を受信した場合に、光源６０を点灯させることによって緊急放送の受信をユーザに報知してもよい。
【００６３】
上記の実施の形態において、画像表示装置の一例としてテレビジョン受像機１０を説明した。しかしながら、画像表示装置はこれに限定されない。すなわち、本発明は、例えば、パーソナルコンピュータのディスプレイ、チューナを備えないモニタ等にも適用することができる。
【００６４】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００６５】
本発明は、テレビジョン受像機等の画像表示装置に有利に利用される。
【符号の説明】
【００６６】
１０  テレビジョン受像機
２０  表示パネル
３０  台座
４０  背面カバー
４１、４２、１４０ｅ、１４５  貫通孔
４３  通気孔
４４  突条
４５、４６  段差
５０  ルーバー
５１  第１の端面
５１ａ  平面
５１ｂ  凹曲面
５２  第２の端面
６０  光源
６１  基板
６２  ＬＥＤ素子
７１  電源回路
７２  電源ソケット
７５  信号処理回路
７６  端子群
１００  イオンミスト放出ユニット
１１０  イオン発生部
１１１  第１の風路
１１１ａ、１１２ａ  吸気口
１１１ｂ、１１２ｂ  排気口
１１２  第２の風路
１１３  イオン発生装置
１１３ａ、１１３ｂ  電極
１１３ｃ  ペルチェ素子
１１３ｄ  絶縁部材
１１３ｅ  電圧発生部
１２０  ファン
１３０  制御回路
１４０  筐体
１４０ａ  底面
１４０ｂ、１４０ｃ、１４０ｄ  側面
１４１  上部領域（第１領域）
１４２  中央領域（第２領域）
１４３  下部領域（第３領域）
１４４ａ、１４４ｂ、１４４ｃ、１４４ｄ、１４４ｅ、１４４ｆ  隔壁
１４６  シール
１４７  遮蔽壁
１５０  蓋
１５１  不織布
【図１】
2013247641.tif 000003
【図２】
2013247641.tif 000004
【図３】
2013247641.tif 000005
【図４】
2013247641.tif 000006
【図５】
2013247641.tif 000007
【図６】
2013247641.tif 000008
【図７】
2013247641.tif 000009
【図８】
2013247641.tif 000010
【図９】
2013247641.tif 000011
【図１０】
2013247641.tif 000012
【図１１】
2013247641.tif 000013